(57)【要約】【課題】オブジェクトが付加されたデータの検索性を向上させる。【解決手段】取得部１１１は、読取部１６によって読取られた第１画像を示す画像データを取得する。受付部１１２は、利用者が例えばタッチパネル１５１を操作して第１画像に付加する指示をしたオブジェクトの情報を受付ける。特定部１１４は、記憶部１２に記憶された設定表１２１を読出して出力の形式を特定する。出力部１１５は、特定部１１４により特定された出力の形式が複数のデータを構成要素の集まりとして表現する第１形式である場合、第１画像、オブジェクト、及び第１画像におけるオブジェクトの位置を示す位置情報をそれぞれ包含する第１データを出力する。【選択図】図７
2018164173.tif 000002
【特許請求の範囲】
【請求項１】
媒体に形成された第１画像を読取る読取部と、
前記第１画像に付加するオブジェクトを利用者から受付ける受付部と、
出力の形式が複数のデータを構成要素の集まりとして表現する第１形式である場合、前記第１画像、前記オブジェクト、及び該第１画像における該オブジェクトの位置を示す位置情報をそれぞれ包含する第１データを出力する出力部と、
を有する画像読取装置。
【請求項２】
前記出力部は、前記出力の形式がラスタ形式の画像データのみで表現する第２形式である場合、前記第１画像における、前記位置情報が示す位置に前記オブジェクトを合成した第２画像を示す第２データを出力する
ことを特徴とする請求項１に記載の画像読取装置。
【請求項３】
前記出力部は、前記第２データを出力する場合、該第２データに関連付けて前記第１画像を示す第３データを出力する
ことを特徴とする請求項２に記載の画像読取装置。
【請求項４】
前記出力部は、前記第２データにより示される前記第２画像、及び、前記第３データにより示される前記第１画像を、連続したページに出力する
ことを特徴とする請求項３に記載の画像読取装置。
【請求項５】
前記オブジェクトは文字の情報を含む
ことを特徴とする請求項１から４のいずれか１項に記載の画像読取装置。
【請求項６】
前記受付部は、前記第１画像において予め決められた複数の位置の中から前記オブジェクトの位置を選択する、前記利用者の指示を受付ける
ことを特徴とする請求項１から５のいずれか１項に記載の画像読取装置。
【請求項７】
前記第１画像から予め決められた条件を満たす領域を抽出する抽出部、を有し、
前記出力部は、前記領域が抽出され、かつ、前記出力の形式が第１形式である場合、該領域から前記オブジェクトを生成し、該オブジェクト、該領域に対応した前記位置情報、及び前記第１画像を包含する前記第１データを出力する
ことを特徴とする請求項１から６のいずれか１項に記載の画像読取装置。
【請求項８】
媒体に形成された第１画像を読取る読取部を有するコンピュータを、
前記第１画像に付加するオブジェクトを利用者から受付ける受付部と、
出力の形式が複数のデータを構成要素の集まりとして表現する第１形式である場合、前記第１画像、前記オブジェクト、及び該第１画像における該オブジェクトの位置を示す位置情報をそれぞれ包含する第１データを出力する出力部
として機能させるためのプログラム。
【発明の詳細な説明】
【技術分野】
【０００１】
本発明は、画像読取装置、及びプログラムに関する。
【背景技術】
【０００２】
特許文献１には、原稿画像を読取った画像データを画像形成前にプレビュー表示する機能を備えた画像形成装置において、プレビュー表示されたプレビュー画像上でのタッチ位置の軌跡を検知し、検知した軌跡による線図形を原稿画像の画像データに追記して印刷することを特徴とする画像形成装置が開示されている。
【先行技術文献】
【特許文献】
【０００３】
【特許文献１】特開２０１０−２００２２５号公報
【発明の概要】
【発明が解決しようとする課題】
【０００４】
本発明は、オブジェクトを付加した画像データの検索性を向上させることを目的とする。
【課題を解決するための手段】
【０００５】
上述した課題を解決するため、本発明の請求項１に係る画像読取装置は、媒体に形成された第１画像を読取る読取部と、前記第１画像に付加するオブジェクトを利用者から受付ける受付部と、出力の形式が複数のデータを構成要素の集まりとして表現する第１形式である場合、前記第１画像、前記オブジェクト、及び該第１画像における該オブジェクトの位置を示す位置情報をそれぞれ包含する第１データを出力する出力部と、を有する。
【０００６】
本発明の請求項２に係る画像読取装置は、請求項１に記載の態様において、前記出力部は、前記出力の形式がラスタ形式の画像データのみで表現する第２形式である場合、前記第１画像における、前記位置情報が示す位置に前記オブジェクトを合成した第２画像を示す第２データを出力することを特徴とする。
【０００７】
本発明の請求項３に係る画像読取装置は、請求項２に記載の態様において、前記出力部は、前記第２データを出力する場合、該第２データに関連付けて前記第１画像を示す第３データを出力することを特徴とする。
【０００８】
本発明の請求項４に係る画像読取装置は、請求項３に記載の態様において、前記出力部は、前記第２データにより示される前記第２画像、及び、前記第３データにより示される前記第１画像を、連続したページに出力することを特徴とする。
【０００９】
本発明の請求項５に係る画像読取装置は、請求項１から４のいずれか１項に記載の態様において、前記オブジェクトは文字の情報を含むことを特徴とする。
【００１０】
本発明の請求項６に係る画像読取装置は、請求項１から５のいずれか１項に記載の態様において、前記受付部は、前記第１画像において予め決められた複数の位置の中から前記オブジェクトの位置を選択する、前記利用者の指示を受付けることを特徴とする。
【００１１】
本発明の請求項７に係る画像読取装置は、請求項１から６のいずれか１項に記載の態様において、前記第１画像から予め決められた条件を満たす領域を抽出する抽出部、を有し、前記出力部は、前記領域が抽出され、かつ、前記出力の形式が第１形式である場合、該領域から前記オブジェクトを生成し、該オブジェクト、該領域に対応した前記位置情報、及び前記第１画像を包含する前記第１データを出力することを特徴とする。
【００１２】
本発明の請求項８に係るプログラムは、媒体に形成された第１画像を読取る読取部を有するコンピュータを、前記第１画像に付加するオブジェクトを利用者から受付ける受付部と、出力の形式が複数のデータを構成要素の集まりとして表現する第１形式である場合、前記第１画像、前記オブジェクト、及び該第１画像における該オブジェクトの位置を示す位置情報をそれぞれ包含する第１データを出力する出力部として機能させるためのプログラムである。
【発明の効果】
【００１３】
請求項１、８に係る発明によれば、第１データを出力しない態様に比べて、オブジェクトが付加されたデータの検索性を向上させることができる。
請求項２に係る発明によれば、出力の形式に応じたデータが出力される。
請求項３に係る発明によれば、出力の形式が第２形式である場合、オブジェクトを付加した後のデータに加えて、オブジェクトを付加する前のデータが出力される。
請求項４に係る発明によれば、オブジェクトを付加する前後の画像が連続したページとして出力される。
請求項５に係る発明によれば、オブジェクトが文字によって検索される。
請求項６に係る発明によれば、第１画像におけるオブジェクトの位置が選択される。
請求項７に係る発明によれば、第１画像から生成されたオブジェクトを包含する第１データが出力される。
【図面の簡単な説明】
【００１４】
【図１】本実施形態に係る画像処理システム９の全体構成を示す図。
【図２】端末２の構成の一例を示す図。
【図３】画像読取装置１の構成を示す図。
【図４】設定表１２１の例を示す図。
【図５】画像読取装置１の外観を示す図。
【図６】表示部１４が有する表示画面１４１の例を示す図。
【図７】画像読取装置１の機能的構成を示す図。
【図８】付加されたオブジェクトを確認するプレビュー画面の例。
【図９】画像読取装置１の動作の流れを説明するフロー図。
【発明を実施するための形態】
【００１５】
１．実施形態
１−１．画像処理システムの全体構成
図１は、本実施形態に係る画像処理システム９の全体構成を示す図である。画像処理システム９は、ＬＡＮ（Local Area Network）及びＷＡＮ（Wide Area Network）等を形成する通信回線４と、この通信回線４に接続された画像読取装置１、及び端末２を有する。
【００１６】
図１に示す端末２は、通信回線４を介して画像読取装置１が出力したデータを受取る端末である。画像処理システム９が有する端末２は図１に示す通り、１つであってもよいし、複数であってもよい。
【００１７】
図１に示す画像読取装置１は、媒体に形成された画像（第１画像という）を読取り、この第１画像に利用者から受付けたオブジェクトを付加したデータを出力する装置である。媒体とは、例えば用紙等である。画像処理システム９が有する画像読取装置１は図１に示す通り１つであってもよいし、複数であってもよい。
【００１８】
オブジェクトとは、画像に重ねて表現される画像の要素であり、利用者が画像読取装置１を操作することにより、読取られた第１画像に重ねて配置される。オブジェクトは、例えば、利用者の操作子の軌跡を示す線分、利用者の操作により選択される文字、画像等、及びこれらの組合せである。また、オブジェクトは、例えば減色フィルタ、階調反転フィルタ、ガウシアンフィルタ等、重ねられる第１画像に対する作用を示す情報であってもよい。また、オブジェクトは、変化する画像であるアニメーションであってもよい。アニメーションは、例えば周期的に変化してもよいし、液晶画面等に表示されるタイミング又は操作のタイミング等で変化してもよい。
【００１９】
１−２．端末の構成
図２は、端末２の構成の一例を示す図である。端末２は、制御部２１、記憶部２２、通信部２３、表示部２４、及び操作部２５を有する。
【００２０】
制御部２１は、ＣＰＵ（Central Processing Unit）、ＲＯＭ（Read Only Memory）、ＲＡＭ（Random Access Memory）を有し、ＣＰＵがＲＯＭ及び記憶部２２に記憶されているコンピュータプログラム（以下、単にプログラムという）を読出して実行することにより端末２の各部を制御する。
【００２１】
記憶部２２は、ソリッドステートドライブ、ハードディスクドライブ等の大容量の記憶手段であり、制御部２１のＣＰＵに読込まれる各種のプログラムを記憶する。
【００２２】
通信部２３は、無線又は有線により通信回線４に接続する通信回路である。端末２は、通信部２３により通信回線４を介して画像読取装置１と情報を遣り取りする。
【００２３】
操作部２５は、各種の指示をするための操作ボタン等の操作子を備えており、利用者による操作を受付けてその操作内容に応じた信号を制御部２１に供給する。また、操作部２５は、利用者の指又はスタイラスペン等の操作体の接触又は圧力等を検知するタッチパネルを有していてもよい。
【００２４】
表示部２４は、液晶ディスプレイを有しており、制御部２１の制御の下、画像を表示する。表示部２４の液晶ディスプレイの上には、操作部２５の透明のタッチパネルが重ねて配置されてもよい。
【００２５】
１−３．画像読取装置の構成
図３は、画像読取装置１の構成を示す図である。画像読取装置１は、制御部１１、記憶部１２、通信部１３、表示部１４、操作部１５、及び読取部１６を有する。また、画像読取装置１は、図３に破線で示す形成部１７を有してもよい。
【００２６】
制御部１１は、ＣＰＵ、ＲＯＭ、ＲＡＭを有し、ＣＰＵがＲＯＭ及び記憶部１２に記憶されているプログラムを読出して実行することにより画像読取装置１の各部を制御する。
【００２７】
通信部１３は、無線又は有線により通信回線４に接続する通信回路である。画像読取装置１は、通信部１３により通信回線４を介して端末２と情報を遣り取りする。
【００２８】
操作部１５は、各種の指示をするための操作ボタン等の操作子を備えており、利用者による操作を受付けてその操作内容に応じた信号を制御部１１に供給する。また、操作部１５は、利用者の指又はスタイラスペン等の操作体を検知するタッチパネル１５１を有する。利用者は、画像読取装置１を利用する際に操作部１５を介して自分の識別情報を制御部１１に伝えてもよい。また、操作部１５は、例えばカードリーダ等、利用者を識別する手段を有していてもよい。
【００２９】
表示部１４は、液晶ディスプレイ等の表示画面１４１を有しており、制御部１１の制御の下、画像を表示する。表示画面１４１の上には、操作部１５の透明のタッチパネル１５１が重ねて配置されている。
【００３０】
記憶部１２は、ソリッドステートドライブ、ハードディスクドライブ等の大容量の記憶手段であり、制御部１１のＣＰＵに読込まれる各種のプログラムを記憶する。また、記憶部１２は、設定表１２１を記憶する。
【００３１】
図４は、設定表１２１の例を示す図である。図４（ａ）には、画像読取装置１を利用する利用者の識別情報である「利用者ＩＤ」、画像読取装置１が出力するデータの名称である「データ名」、及びデータの形式の名称である「形式名」等、各種の設定が記憶されている。例えば、図４（ａ）に示す例で、利用者ＩＤは「Ｕ０１」であり、データ名は「Ｆ９９１」であり、形式名は「第１形式ｂ」である。
【００３２】
図４（ａ）に示した設定表１２１は、画像読取装置１に対する利用者の操作によって更新される。画像読取装置１の制御部１１は、設定表１２１に記述された形式名を読出して、利用者が操作部１５を操作して画像読取装置１に出力させようと指定したデータの形式を特定する。設定表１２１は、例えば制御部１１のＲＡＭに記憶されてもよい。この場合、記憶部１２は、設定表１２１を記憶しなくてもよい。
【００３３】
なお、画像読取装置１が出力するデータの形式は、利用者によって指定されるものに限られない。例えば、図４（ｂ）に示す設定表１２１は、「利用者ＩＤ」と「形式名」とを対応付けて記憶する。図４（ｂ）に示す設定表１２１では、予め利用者ごとに出力するデータの形式が決められているため、画像読取装置１が利用者を識別したときに、データの形式が特定される。
【００３４】
また、例えば図４（ｃ）に示す設定表１２１は、画像読取装置１が第１画像を読取った時刻、又は、画像読取装置１がデータを出力する時刻等、画像読取装置１のいずれかの機能を利用する時刻が属する「時間帯」ごとに「形式名」を対応付けている。図４（ｃ）に示す設定表１２１では、予め利用する時間帯に対してデータの形式が決められているため、画像読取装置１が利用者に利用される時刻に応じてデータの形式が特定される。
【００３５】
読取部１６は、媒体を光学的に読取る手段である。読取部１６は、例えばＣＣＤ（Charge Coupled Device）イメージセンサ等の撮像素子を備え、媒体に形成された第１画像を読取り、この第１画像を示す画像データを生成する。
【００３６】
形成部１７は、画像データに基づいて画像を形成する手段である。形成部１７は、例えば、電子写真方式や熱転写方式によって画像を用紙に形成する。
【００３７】
図５は、画像読取装置１の外観を示す図である。図５に示す画像読取装置１は、上部に読取部１６が有する、ガラス等で保護された図示しない読取面を有する本体と、この本体に蝶番で開閉可能に取付けられたシートフィーダとを有する。シートフィーダは、媒体を連続して読取面に供給する装置である。
【００３８】
利用者は、画像が形成された複数の媒体を閉じた状態のシートフィーダに設置して、これら複数の媒体にそれぞれ形成された画像を画像読取装置１に連続して読取らせる。また、利用者は、シートフィーダを開けて、読取面に直接、１枚の媒体を設置して、この媒体に形成された画像を画像読取装置１に読取らせる。
【００３９】
また、本体は、形成部１７を有する。形成部１７は、予め定められたサイズにカットされた、媒体としての用紙が収容される収容器を有し、制御部１１の指示により搬送ロールによって収容器から用紙を１枚ずつ取り出して、この用紙に、感光体及び転写ベルト等に形成された画像を転写することで画像を形成する。なお、媒体は用紙に限らず、例えば樹脂製のシート等であってもよい。要するに、媒体は、表面に画像を記録し得るものであればよい。
【００４０】
上述したシートフィーダは、表示部１４及び操作部１５を有する。図６は、表示部１４が有する表示画面１４１の例を示す図である。利用者が操作部１５により第１画像の読取りの指示をすると、読取部１６は、媒体に形成された第１画像を読取り、その第１画像を示す画像データを制御部１１に送る。制御部１１は図６に示す通り、読取部１６から送られた画像データに基づき、第１画像を確認するためのプレビュー画面を表示部１４の表示画面１４１に表示させる。
【００４１】
図６に示すプレビュー画面には、領域ｇ１に第１画像が表示され、その周囲に各種のアイコン（アイコンｃ０、アイコンｃ１、アイコンｃ２、アイコンｃ３、アイコンｃ４）が表示される。例えばアイコンｃ０は、プレビュー画面を終了する指示を示し、アイコンｃ１は、表示された第１画像を形成部１７によって媒体に形成させる指示を示す。利用者は、これらのアイコンに対応するタッチパネル１５１の領域を触れる（クリックする）ことにより、画像読取装置１への指示をする。また、アイコンｃ２、アイコンｃ３、アイコンｃ４は、それぞれ画面の拡大、オブジェクトの付加、画像読取装置１の設定の指示を示す。
【００４２】
１−４．画像読取装置の機能的構成
図７は、画像読取装置１の機能的構成を示す図である。図７に示す画像読取装置１の制御部１１は、記憶部１２に記憶されたプログラムを実行することにより、取得部１１１、受付部１１２、表示制御部１１３、特定部１１４、及び出力部１１５として機能する。また、制御部１１は、図７に破線で示す通り、抽出部１１６として機能してもよい。
【００４３】
取得部１１１は、読取部１６によって読取られた第１画像を示す画像データを取得する。取得部１１１は、操作部１５の操作に応じて、読取部１６に第１画像を要求してもよい。この場合、取得部１１１の第１画像を要求するきっかけとなる操作は受付部１１２によって受付けられてもよい。
【００４４】
受付部１１２は、利用者が例えばタッチパネル１５１を操作して第１画像に付加する指示をしたオブジェクトの情報を受付ける。受付部１１２は、オブジェクトの情報としてオブジェクトの内容を示す情報、及び、オブジェクトが第１画像に重ねられる位置を示す位置情報を受付ける。
【００４５】
位置情報は、例えば第１画像の幅方向及び高さ方向の組で表される座標を含む。また位置情報は、第１画像に対して複数の層（レイヤともいう）が重ねられる場合に、オブジェクトが配置されるレイヤを識別する識別情報及びそのレイヤの重ねられる順序を示す情報等を含んでもよい。オブジェクトが配置されるレイヤの順序の情報により、例えば複数のオブジェクトが重ねられている場合に、どのオブジェクトが閲覧者に視認されるかが特定される。
【００４６】
利用者は、例えば操作部１５を介して第１画像に重ねてオブジェクトを描くと、受付部１１２は、描かれたオブジェクトの形状からオブジェクトの内容を特定するとともに、オブジェクトが描かれた第１画像の位置を特定して、このオブジェクトの情報を受付ける。
【００４７】
表示制御部１１３は、取得部１１１が取得した画像データに基づき表示部１４の表示画面１４１に第１画像を確認するためのプレビュー画面を表示させる。また、受付部１１２がオブジェクトの情報を受付けた場合に、表示制御部１１３は、第１画像にオブジェクトを付加した画像をプレビュー画面に表示させてもよい。
【００４８】
なお、利用者が第１画像に対して付加するオブジェクト、及びこのオブジェクトを付加する位置を指定することが可能であれば、表示制御部１１３はプレビュー画面を表示させなくてもよい。この場合、表示部１４は、表示画面１４１を有しなくてもよい。
【００４９】
図８は、付加されたオブジェクトを確認するプレビュー画面の例である。利用者が操作部１５への操作をすることにより、第１画像にオブジェクトを付加する指示をすると、受付部１１２は、指示されたオブジェクトの情報を受付けて、その情報を表示制御部１１３に伝える。
【００５０】
表示制御部１１３は、受付けたオブジェクトの情報に基づいて、そのオブジェクトを付加した第１画像をプレビュー画面として、表示画面１４１に表示させる制御信号を表示部１４に送る。表示部１４は、表示画面１４１に例えば、図８に示すプレビュー画面を表示する。
【００５１】
図８に示すプレビュー画面では、領域ｇ１に第１画像が表示され、この第１画像に重なる領域ｇ２１に、赤い枠で描かれたオブジェクトが表示される。この表示を見た者（閲覧者という）には、この赤い枠の内側が利用者によって強調された部分であることが伝わる。
【００５２】
また、図８に示すプレビュー画面では、第１画像が表示された領域ｇ１に重なる領域ｇ２２、及び領域ｇ２３にそれぞれ、「確認」という文字列が書かれた付箋、「間違い」という文字列が書かれた付箋、というオブジェクトが表示される。これらのオブジェクトは文字の情報を含む。
【００５３】
文字の情報を含むオブジェクトは、文字による検索の対象となる。閲覧者は、例えば「間違い」という文字列を入力して画像読取装置１又は端末２に検索を実行させると、領域ｇ２３に配置されたオブジェクトが検索される。また、オブジェクトに文字を含むことにより、閲覧者はこの文字によって利用者がオブジェクトを付加した意図を把握する。
【００５４】
なお、オブジェクトに含まれる文字は操作部１５を介して利用者に指定されてもよいし、画像読取装置１により予め決められた文字列を示す複数の選択肢のいずれかが利用者に選択されることで指定されてもよい。また、オブジェクトには、画像として表示、形成されない、いわゆるメタ情報が含まれてもよい。メタ情報は、例えば、オブジェクトを付加した時刻を示す情報や、オブジェクトを付加する指示をした利用者の識別情報（利用者ＩＤ）等であってもよい。また、オブジェクトに含まれる文字は、例えばインターネットにおけるＵＲＩ（Uniform Resource Identifier）等、情報が格納されている場所を示す情報であってもよい。この場合、このオブジェクトに対して、利用者が、例えばクリック等の操作をすることで、このオブジェクトに含まれるＵＲＩが示すリソースに記載された情報を取得する。
【００５５】
特定部１１４は、記憶部１２に記憶された設定表１２１を読出して出力の形式を特定する。出力部１１５は、特定部１１４に特定された出力の形式に応じてデータを出力する。例えば、出力部１１５が通信部１３にデータを出力する場合、出力されるデータは通信回線４を介して端末２に受取られる。また、例えば、出力部１１５が形成部１７にデータを出力する場合、出力されるデータが示す画像が媒体に形成される。また、例えば、出力部１１５が記憶部１２にデータを出力する場合、そのデータは記憶部１２に記憶される。
【００５６】
出力部１１５は、特定部１１４により特定された出力の形式が第１形式である場合、第１画像、オブジェクト、及び第１画像におけるオブジェクトの位置を示す位置情報をそれぞれ包含する第１データを出力する。
【００５７】
第１形式とは、文書内のデータ構造を把握でき、構成要素の集まりとして表現する形式を意味する。具体的には、後述する、ベクタ形式やラスタ形式が組み合されている電子文書や、付箋付きのページを文書の１ページと当該ページに付加された付箋とに分解して構造を把握できる電子文書が第１形式にあたる。
ベクタ形式とは、画像において描画される形を例えば関数又はパラメータ等で表した形式である。ベクタ形式の例として、ＰＤＦ（Portable Document Format）等が挙げられる。
【００５８】
第１形式で表される第１データにおいて、画像を構成する個々の要素は、第１データに包含されるだけであり、それぞれ第１データの内部において独立している。そのため、第１データに包含される要素の一つであるオブジェクトは端末２において抽出及び分離することが可能であり、再編集することも可能である。また、第１データから、オブジェクトが付加される前の第１画像を復元することも可能である。
【００５９】
また、出力部１１５は、出力の形式が第２形式である場合、第１画像における、位置情報が示す位置にオブジェクトを合成した第２画像を示す第２データを出力する。
【００６０】
第２形式とは、ラスタ形式に電子化された画像データのみで表現する形式を意味する。
ラスタ形式とは、格子状に配列された画素の階調によって画像を表した形式である。ラスタ形式の例として、ＪＰＥＧ（Joint Photographic Experts Group）、ＰＮＧ（Portable Network Graphics）、ＧＩＦ（Graphics Interchange Format）等が挙げられる。
【００６１】
第２形式で表される第２データにおいて、画像を構成するそれぞれの要素は１つの画像に合成されるため、オブジェクトは端末２において抽出又は分離することが不可能であり、再編集することも不可能である。また、第２データから、オブジェクトが付加される前の第１画像を復元することも不可能である。
【００６２】
なお、出力部１１５は、第２データを出力する場合、この第２データに関連付けて第１画像を示す第３データを出力してもよい。これにより、例えば、画像読取装置１により出力された第２データを受取った端末２は、第２データからオブジェクトが付加される前の第１画像を復元することは不可能であるが、第２データと関連付けて出力される第３データから第１画像を取得する。
【００６３】
抽出部１１６は、第１画像から予め決められた条件を満たす領域を抽出する。この条件とは、例えば、その領域に描かれた色の階調が決められた範囲にあるか、その領域に描かれた形状が矩形、楕円等、を示しているか、等である。抽出部１１６は、例えば、受付部１１２が、上述した条件を満たす領域を抽出する旨の指示を操作部１５から受付けた場合に、この抽出を行ってもよい。
【００６４】
出力部１１５は、抽出部１１６が上述した条件を満たす領域を抽出し、かつ、出力の形式が第１形式である場合、抽出されたこの領域からオブジェクトを生成する。そして出力部１１５は、生成したオブジェクト、抽出された領域に対応した位置情報、及び第１画像を包含する第１データを出力する。
【００６５】
なお、出力部１１５は、上述したオブジェクトを生成する場合、第１画像のうち、抽出部１１６が抽出した領域の周囲の色に基づいて、この領域の内側を塗り潰す加工処理をしてもよい。上述した条件を満たす領域には、媒体そのものに付箋が貼られ、又は赤色等のマーカで加筆がされていることが多い。そして、この領域の周囲の色は、付箋又はマーカ等による物理的なオブジェクトが付加される前のオリジナルの原稿の色に近いことが多い。したがって、抽出した領域の周囲の色でその領域の内側を塗り潰す加工を施すことで、出力部１１５は、物理的に付箋等のオブジェクトが付加される前のオリジナルの原稿に近いと推定される画像を第１画像として出力する。
【００６６】
１−５．画像読取装置の動作
図９は、画像読取装置１の動作の流れを説明するフロー図である。画像読取装置１の制御部１１は、読取部１６を制御して用紙等の媒体に形成された第１画像を読取らせ、この第１画像を示す画像データを取得すると（ステップＳ１０１）、取得したこの画像データにより示される第１画像を表示部１４の表示画面１４１に表示させる（ステップＳ１０２）。
【００６７】
制御部１１は、第１画像において予め決められた条件を満たす領域が存在している場合、この領域を抽出する（ステップＳ１０３）。制御部１１は、領域が抽出されるとこの領域に描かれた内容に基づいてオブジェクトを生成する。
【００６８】
利用者が、例えば操作部１５を介して第１画像に重ねてオブジェクトを描き、画像読取装置１に対してこのオブジェクトを第１画像に付加する指示をすると、制御部１１は、利用者の操作に応じたオブジェクトの情報を受付ける（ステップＳ１０４）。
【００６９】
制御部１１は、記憶部１２の設定表１２１を参照して、例えば利用者の指定する出力の形式を特定する（ステップＳ１０５）。そして制御部１１は、ステップＳ１０５で特定した形式が第１形式であるか否かを判断する（ステップＳ１０６）。
【００７０】
特定した形式が第１形式であると判断する場合（ステップＳ１０６；ＹＥＳ）、制御部１１は、第１画像を示す画像データが包含された第１データを生成し、この第１データにステップＳ１０４で受付けたオブジェクト、及びそのオブジェクトの第１画像における位置を示す位置情報を包含させる（ステップＳ１０７）。そして、制御部１１は、生成したこの第１データを例えば、通信回線４を介して端末２に向けて出力する（ステップＳ１１０）。
【００７１】
特定した形式が第１形式ではないと判断する場合（ステップＳ１０６；ＮＯ）、制御部１１は、位置情報が示す第１画像の位置にオブジェクトが示す画像を合成した第２画像を示す第２データを生成する（ステップＳ１０８）。そして、制御部１１は、生成したこの第２データを例えば、通信回線４を介して端末２に向けて出力する（ステップＳ１１０）。
【００７２】
なお、図９に示す制御部１１は、第２データを出力する場合、この第２データに関連付けて第１画像を示す第３データを出力する。この場合、例えば、制御部１１は、生成した第２データの前後に、第１画像を示す第３データを追加する（ステップＳ１０９）。これにより、制御部１１は、第２データにより示される第２画像、及び第３データにより示される第１画像を、連続したページに出力する（ステップＳ１１０）。
【００７３】
なお「ページ」とは、媒体の１面に対応する画像データの単位である。また制御部１１は、第３データを第２データに関連付けて出力する場合、第１画像の色を薄くする階調補正をした上でオブジェクトを合成した第２画像を示す第２データを生成してもよい。これにより、背景となる第１画像の色が薄まって相対的に目立ち難くなり、オブジェクトが付加されたことが強調される。
【００７４】
この構成により画像読取装置１は、第１形式で出力する場合に、利用者が付加したオブジェクトを機械的に検索することが可能な第１データを出力するので、オブジェクトが付加されたデータの検索性が向上する。
【００７５】
また、この構成により画像読取装置１は、決められた出力の形式に応じて、オブジェクトを包含した第１データ、又はオブジェクトを合成した第２データを出力する。
【００７６】
また、この構成により画像読取装置１は、出力の形式が第２形式であっても、第２データに関連付けて第３データを出力するので、これらのデータを受取った端末２で利用者は、第２データから復元することが不可能な、オブジェクトが付加される前の第１画像を第３データから取得する。
【００７７】
また、この構成により画像読取装置１は、第２データにより示される第２画像と、第３データにより示される第１画像とを、それぞれ連続したページに出力するので、例えば、画像読取装置１の形成部１７によってこれらのデータを出力させる場合、複数のページで構成される文書であって利用者がオブジェクトを付加したページの前後にそのオブジェクトが付加される前のページが挟み込まれた文書が作成される。
【００７８】
そして利用者は、オブジェクトが付加されることによってそのオブジェクトによって確認できなくなった部分を、その前後に挟み込まれたオリジナルの原稿により確認する。この場合、第１画像と第２画像とは連続したページに出力されているため、利用者はオブジェクトが付加された後の画像が形成されたページの前後に、オブジェクトが付加される前の画像が形成されたページを見つける。
【００７９】
２．変形例
以上が実施形態の説明であるが、この実施形態の内容は以下のように変形し得る。また、以下の変形例を組合せてもよい。
【００８０】
２−１．変形例１
上述した実施形態において、出力部１１５は、出力の形式が第２形式である場合、第１画像における、位置情報が示す位置にオブジェクトを合成した第２画像を示す第２データを出力していたが、オブジェクトを合成していない第１画像を示す第３データを上述した第１データ及び第２データに代えて出力してもよい。この場合、出力にオブジェクトは反映されない。
【００８１】
２−２．変形例２
上述した実施形態において、出力部１１５は、第２データを出力する場合、この第２データに関連付けて第１画像を示す第３データを出力していたが、第２データのみを出力してもよい。この場合、制御部１１は、図９に示すステップＳ１０９を行わなくてもよい。
【００８２】
２−３．変形例３
上述した実施形態において、制御部１１は、第２データを出力する場合、生成した第２データの前後に、第１画像を示す第３データを追加していた。すなわち、制御部１１によって実現する出力部１１５は、第２データにより示される第２画像、及び、第３データにより示される第１画像を、連続したページに出力していた。しかし、出力部１１５は、第１画像及び第２画像を連続したページに出力しなくてもよい。例えば、出力部１１５は、複数のページからなる文書の冒頭又は末尾に、関連付けられた第２画像のページ番号とともに第１画像を出力してもよい。要するに、オブジェクトが合成された第２画像と、オブジェクトが合成される前の第１画像とが関連付けられていることが閲覧者に伝わればよい。
【００８３】
２−４．変形例４
上述した実施形態において、受付部１１２は、利用者により描かれたオブジェクトの形状からオブジェクトの内容を特定するとともに、オブジェクトが描かれた第１画像の位置を特定していたが、受付部１１２は、第１画像において予め決められた複数の位置の中からオブジェクトの位置を選択する、利用者の指示を受付けてもよい。
【００８４】
予め決められた複数の位置とは、例えばページ番号、上段、中断、下段、右上、中央、左下等、ページ内の相対的な区画等である。ページ内の区画は、例えば３分割又は９分割等、決められた数に分割されたものでよい。
【００８５】
ページ数の多い文書では確認が必要な部分のページ番号がわかれば、そのページ内の位置まで知る必要がない場合が多い。また、ページ内の位置は大まかにわかれば詳細に決定する必要がない場合もある。この構成によれば、例えば表示画面１４１が比較的小さくてオブジェクトを付加する位置を細かく指定し難い場合にも、予め決められた大まかな位置の選択肢を選択するだけで、オブジェクトを付加する位置が指定される。
【００８６】
２−５．変形例５
上述した実施形態において、制御部１１は、第１画像から予め決められた条件を満たす領域を抽出する抽出部１１６として機能していたが、第１画像からこの領域を抽出しなくてもよい。この場合、制御部１１は図９に示すステップＳ１０３を行わなくてもよい。
【００８７】
２−６．変形例６
画像読取装置１の制御部１１によって実行されるプログラムは、磁気テープ及び磁気ディスク等の磁気記録媒体、光ディスク等の光記録媒体、光磁気記録媒体、半導体メモリ等の、コンピュータ装置が読取り可能な記録媒体に記憶された状態で提供し得る。また、このプログラムを、インターネット等の通信回線経由でダウンロードさせることも可能である。なお、上述した制御部１１によって例示した制御手段としてはＣＰＵ以外にも種々の装置が適用される場合があり、例えば、専用のプロセッサ等が用いられる。
【符号の説明】
【００８８】
１…画像読取装置、１１…制御部、１１１…取得部、１１２…受付部、１１３…表示制御部、１１４…特定部、１１５…出力部、１１６…抽出部、１２…記憶部、１２１…設定表、１３…通信部、１４…表示部、１４１…表示画面、１５…操作部、１５１…タッチパネル、１６…読取部、１７…形成部、２…端末、２１…制御部、２２…記憶部、２３…通信部、２４…表示部、２５…操作部、４…通信回線、９…画像処理システム。
【図１】
2018164173.tif 000003
【図２】
2018164173.tif 000004
【図３】
2018164173.tif 000005
【図４】
2018164173.tif 000006
【図５】
2018164173.tif 000007
【図６】
2018164173.tif 000008
【図７】
2018164173.tif 000009
【図８】
2018164173.tif 000010
【図９】
2018164173.tif 000011